(57)【要約】【課題】複数のフック部材で枠体を懸架する構造の物干し具において、フック部材を格納し易くすることなどで取扱性の向上を図る。【解決手段】枠体（２）の長手方向の両端それぞれの近傍の内枠部（３）に取り付けられて枠体（２）を懸架する一対の第二フック部材（２０）は、その根元側の連結部（２２）が掛渡部（４）に対して回動可能に連結された基部（２１）と、基部（２１）の先端部（２１ｃ）に対して回動可能に連結されて物干し竿（５０）に引っ掛けられるフック本体（２４）と、を備え、フック本体（２４）を基部（２１）に対して折り畳んだ折畳状態と拡張させた拡張状態とを切り替えることが可能な構成であり、第二フック部材（２０）は、折畳状態と拡張状態のいずれの状態でも枠体（２）の内枠部（３）で囲まれた領域（Ａ）内に格納可能である。【選択図】図１
2017185045.tif 000002
【特許請求の範囲】
【請求項１】
略長方形の枠型に形成された外枠部と、前記外枠部の内側に掛け渡された複数の棒状の掛渡部とを備える枠体と、
前記枠体に取り付けられて洗濯物を吊持する複数個のピンチと、
前記枠体の長手方向の中央に対応する位置で該枠体を懸架する第一フック部材と、
前記枠体の長手方向の一端又はその近傍の前記内枠部と他端又はその近傍の前記内枠部それぞれに取り付けられて前記枠体を懸架する一対の第二フック部材と、を備え、
前記第二フック部材は、その根元部が前記掛渡部に対して回動可能に連結された基部と、前記基部の先端部に対して回動可能に連結されて懸架対象に引っ掛けられるフック本体と、を備え、前記フック本体を前記基部に対して折り畳んだ折畳状態と、前記フック本体を前記基部に対して拡張させた拡張状態とを切り替えることが可能な構成であり、
前記第二フック部材は、前記折畳状態と前記拡張状態のいずれの状態でも前記枠体の前記掛渡部で囲まれた領域内に格納可能であることを特徴とする物干し具。
【請求項２】
前記基部は、隙間を有して平行に配置された二本の柱部材を備えて構成されており、前記フック本体は、前記折畳状態で前記二本の柱部材の間に配置されることを特徴とする請求項１に記載の物干し具。
【請求項３】
前記掛渡部は、前記外枠部の内側で略長方形状に形成された内枠部を形成しており、
前記第二フック部材は、前記内枠部の内側の領域に格納されることを特徴とする請求項１又は２に記載の物干し具。
【請求項４】
前記第二フック部材は、前記枠体の長手方向の外側から内側に向かって回動することで前記内枠部の内側の領域に格納されることを特徴とする請求項３に記載の物干し具。
【発明の詳細な説明】
【技術分野】
【０００１】
本発明は、物干し竿などの懸架対象に懸架される枠体と、該枠体に取り付けた複数個のピンチとを備え、該ピンチに洗濯物を吊して干すための物干し具に関する。
【背景技術】
【０００２】
一般家庭で使用される洗濯物を干すための物干し具（ピンチハンガー）は、例えば特許文献１に示すように、一度に複数枚の洗濯物を吊すために、複数個（多数個）のピンチ（洗濯ばさみ）が枠体に取り付けられている。このような物干し具は、安価で取り扱いが容易な合成樹脂製ものが数多く使用されている。
【０００３】
上記のような物干し具の多くは、枠体を懸架するための単一のフック部材と、枠体とこのフック部材とを接続するためのチェーンまたはワイヤを備え、フック部材は、枠体の中央部に対応する位置で該枠体を支持するようになっている。これにより、枠体が物干し竿などの懸架対象に対して水平に懸架されている。
【０００４】
しかしながら、水分を多く含んで重くなった洗濯物を枠体の中央部から離れた位置に吊した場合などには、枠体が大きく傾いてしまい物干し具が不安定な状態となってしまう。また、洗濯物を枠体に対して均等に吊るしていても、強風に煽られることで枠体が激しく揺れたり回転したりする場合がある。そのため、物干し具自体が物干し竿から外れて落下したり、ピンチに吊るした洗濯物が外れて落下したりするおそれがある。
【０００５】
この点に対処するため、例えば特許文献２に示す物干し具は、多数のピンチを取り付けた枠体の相対向する一対の辺部の中央部それぞれにフック部材を設けることで、枠体を２点で支持する構成を採用している。この物干し具によれば、枠体が不用意に揺れたり回動したりすることを回避できるので、物干し具自体が物干し竿から外れて落下したり、ピンチに吊るした洗濯物が外れて落下したりするおそれを低減できる。
【０００６】
しかしながら、特許文献２に示すような複数（二個以上）のフック部材を備える物干し具では、フック部材の数が増えることで、特にフック部材を格納位置から出し入れする手間やフック部材がピンチや洗濯物と干渉することなどの問題がある。そのため、物干し具の取扱性をさらに向上させるためには、構造上の改善を図る余地がある。
【先行技術文献】
【特許文献】
【０００７】
【特許文献１】意匠登録第１１０３７７９号公報
【特許文献２】特許第５６０７９６９号公報
【発明の概要】
【発明が解決しようとする課題】
【０００８】
本発明は上述の点に鑑みてなされたものであり、その目的は、複数のフック部材で枠体を懸架する物干し具において、フック部材の構造を改良することで取扱性の向上を図ることができる物干し具を提供することにある。
【課題を解決するための手段】
【０００９】
上記課題を解決するため、本発明にかかる物干し具は、略長方形の枠型に形成された外枠部（３）と、外枠部（３）の内側に掛け渡された複数の棒状の掛渡部（４）とを備える枠体（２）と、枠体（２）に取り付けられて洗濯物を吊持する複数個のピンチ（Ｐ）と、枠体（２）の長手方向の中央に対応する位置で該枠体（２）を懸架する第一フック部材（１０）と、枠体（２）の長手方向の一端又はその近傍の内枠部（３）と他端又はその近傍の内枠部（３）それぞれに取り付けられて枠体（２）を懸架する一対の第二フック部材（２０）と、を備え、第二フック部材（２０）は、その根元部（２２）が掛渡部（４）に対して回動可能に連結された基部（２１）と、基部（２１）の先端部（２３）に対して回動可能に連結されて懸架対象（５０）に引っ掛けられるフック本体（２４）と、を備え、フック本体（２４）を基部（２１）に対して折り畳んだ折畳状態と、フック本体（２４）を基部（２１）に対して拡張させた拡張状態とを切り替えることが可能な構成であり、第二フック部材（２０）は、折畳状態と拡張状態のいずれの状態でも掛渡部（４）で囲まれた領域（Ａ）内に格納可能であることを特徴とする。またこの場合、第二フック部材（２０）は、枠体（２）の長手方向の外側から内側に向かって回動することで内枠部（５）の内側の領域（Ａ）に格納されるようにしてもよい。
【００１０】
本発明にかかる物干し具によれば、第一フック部材に加えて一対の第二フック部材を備えたことで、枠体を物干し竿などの懸架対象に懸架する際、枠体の長手方向の中央部と両側の三点で懸架することができる。これにより、屋外の風が強い環境下などでも、洗濯物を吊り下げた物干し具の枠体が物干し竿などの懸架対象に対して揺れたり傾いたりすることを効果的に防止できる。そのうえで、本発明の物干し具は、枠体をその長手方向の両側で懸架する一対の第二フック部材を折畳状態と拡張状態とで切り替えることが可能な構成とし、かつ、それらを折畳状態と拡張状態のいずれの状態でも掛渡部で囲まれた領域内に格納可能としたことで、第二フック部材を使用せず第一フック部材のみで枠体を懸架する場合や、物干し具を片付ける場合には、第二フック部材をコンパクトに格納する作業を簡単かつ迅速に行えるようになる。したがって、取扱性に優れた物干し具となる。
【００１１】
また、上記の物干し具では、第二フック部材（２０）の基部（２１）は、隙間を有して平行に配置された二本の柱部材（２１ａ，２１a）を備えて構成されており、フック本体（２４）は、折畳状態で二本の柱部材（２１ａ，２１ａ）の間に配置されるとよい。
【００１２】
この構成によれば、第二フック部材のフック本体は、折畳状態で二本の柱部材の間に収容された状態となることで、折畳状態の第二フック部材をよりコンパクトにすることができる。したがって、第二フック部材を格納した状態で物干し具を使用する場合や、物干し具を片付けておく場合に、第二フック部材が邪魔にならずに済むので、より取扱性に優れた物干し具となる。
【００１３】
また、上記の物干し具では、掛渡部（４）は、外枠部（３）の内側で略長方形状に形成された内枠部（５）を形成しており、第二フック部材（２０）は、この内枠部（５）の内側の領域（Ａ）に格納されるようにしてよい。
【００１４】
この構成によれば、第二フック部材は、掛渡部によって形成された略長方形状の内側に格納されることで、第二フック部材をより効率的に枠体の内枠部で囲まれた領域内に格納することが可能となる。また、略長方形状に形成された内枠部の外側にピンチを取り付けておけば、第二フック部材がピンチや該ピンチに吊り下げた洗濯物と干渉するおそれがないので、さらに取扱性に優れた物干し具となる。
【００１５】
なお、上記の括弧内の符号は、後述する実施形態における構成要素の符号を本発明の一例として示したものである。
【発明の効果】
【００１６】
本発明にかかる物干し具によれば、複数のフック部材で枠体を懸架する構造の物干し具において、フック部材を格納し易くすることなどで取扱性の向上を図ることができる。
【図面の簡単な説明】
【００１７】
【図１】本発明の一実施形態にかかる物干し具の全体構成を示す平面図である。
【図２】本発明の一実施形態にかかる物干し具の全体構成を示す側面図である。
【図３】第二フック部材及びその周辺の詳細構成を示す斜視図である。
【図４】第二フック部材を拡張状態にした物干し具を示す平面図である。
【発明を実施するための形態】
【００１８】
以下、添付図面を参照して本発明の実施形態を詳細に説明する。図１及び図２は、本発明の一実施形態にかかるピンチハンガー（物干し具）１の全体構成例を示す図で、図１は、平面図、図２は、側面図である。なお、図１では、後述する枠体２に取り付けた複数個のピンチＰは図示を省略している。また、図１では、第二フック部材２０を後述する折畳状態で格納位置に配置した状態を示し、図２では、第二フック部材２０を拡張状態で物干し竿５０に懸架した状態を示している。
【００１９】
ピンチハンガー１は、全体形状が略長方形状に形成された枠体２と、枠体２に取り付けられて洗濯物を吊持する複数個のピンチ（洗濯ばさみ）Ｐと、枠体２を物干し竿（懸架対象）５０などに懸架するための三個のフック部材（第一フック部材１０と一対の第二フック部材２０）とを備える。ピンチＰは、取付具６を介して枠体２に取り付けられている。
【００２０】
枠体２は、略長方形の枠型に形成された外枠部３と、外枠部３の内側に掛け渡された複数の棒状の掛渡部４とを備える。また、外枠部３の内側で複数の掛渡部４によって外枠部３よりも一回り小さい略長方形状に形成された内枠部５を有している。外枠部３は、長手方向の両側（左右両側）それぞれを構成する一対の略コ字型の左枠３ａと右枠３ｂとで構成されている。枠体２の長手方向における左枠３ａの一方側（図の右側）の端部と、右枠３ｂの他方側（図の左側）の端部とが連結部８によって回動自在に連結されている。連結部８は、左枠３ａと右枠３ｂとが内折り（図２の下向きに折れ曲がる向き）になるようにこれらを回動自在に連結している。
【００２１】
第一フック部材１０は、ワイヤ７及びチェーン９を介して枠体２に連結され、枠体２の長手方向の中央に対応する位置で該枠体２を懸架するフック部材である。また、一方の第二フック部材２０は、枠体２の長手方向の一端（図の左端）近傍の内枠部５（掛渡部４）に取り付けられて枠体２を懸架するフック部材であり、他方の第二フック部材２０は、枠体２の長手方向の他端（図の右端）近傍の内枠部５（掛渡部４）に取り付けられて枠体２を懸架するフック部材である。
【００２２】
枠体２の外枠部３の内側面の四箇所それぞれと第一フック部材１０の後述する取付部材１０ｅとがワイヤ７で連結されている。ワイヤ７は、例えば剛性を有するステンレスなどで形成されている。このワイヤ７で、外枠部３の四隅近傍に対して第一フック部材１０が連結されている。また、枠体２の中央部近傍の二箇所の掛渡部４それぞれと第一フック部材１０の取付部材１０ｅとが金属製のチェーン９で連結されている。
【００２３】
第一フック部材１０は、スプリング（図示せず）の付勢に抗して開位置への移動が可能な開閉部材１０ｂが設けられた鈎部１０ａと、鈎部１０ａの下側に設けられて、鈎部１０ａをその軸線回りに回転可能に支持するフック台１０ｃとで構成されている。また、フック部材１０の鈎部１０ａには、この鈎部１０ａを間に挟んで開閉部材１０ｂの反対側に掛け部１０ｄが一体に設けられている。さらに、ワイヤ７を接続する取付部材１０ｅがフック台１０ｃに回転自在に設けられている。この取付部材１０ｅには、ワイヤ７を挿通する貫通孔が２箇所設けられている。
【００２４】
第二フック部材２０は、内枠部５の一辺（枠体２の長手方向の外側に位置する一辺）を構成する掛渡部４に取り付けられており、内枠部５の内側（内枠部５で囲まれた領域Ａ内）に格納されるようになっている。一対の第二フック部材２０は、互いが対称な同一の構成であるため、以下では図の左側の第二フック部材２０を中心に説明する。
【００２５】
図３は、左側の第二フック部材２０及びその周辺を枠体２の長手方向の中心側からみた部分拡大斜視図である。なお、図３では、掛渡部４に取り付けたワイヤ７の図示は省略している。第二フック部材２０は、掛渡部４に対して回動可能に連結された基部２１と、基部２１の先端部２１ｃに対して回動可能に連結されて物干し竿（懸架対象）５０（図２参照）に引っ掛けられるフック本体２４とを備える。基部２１は、掛渡部４に設けた軸部４ａの周り（掛渡部４の長手方向に対する幅方向の両側、すなわち図３の矢印Ｂ方向）へ回動可能に連結された連結具２２と、連結具２２に取り付けられた棒状の軸部２３とを備える。軸部２３は、連結具２２に対してその軸周り（図の矢印Ｃ方向）へ回転可能に取り付けられている。これらによって、第二フック部材２０のフック本体２４は、掛渡部４に対してその長手方向に対する幅方向の両側（Ｂ方向）と長手方向に対して直交する軸周り（Ｃ方向）との二方向の回転が可能に取り付けられている。また、連結具２２によって掛渡部４に設けた軸部４ａの周りで回動する第二フック部材２０は、枠体２の平面内（内枠部５の内側の領域Ａ内）に格納された格納位置で係止部４ｂによってその回動（下向きの回動）が係止されるようになっている。
【００２６】
そして、第二フック部材２０のフック本体２４は、基部２１に対して折り畳んだ折畳状態（図１に示す状態）と、フック本体２４を基部２１に対して拡張させた拡張状態（基部２１とフック本体２４を略直線状に延伸させた状態）（図２及び図３に示す状態）とを切り替えることが可能な構成である。基部２１は、隙間を有して平行に配置された二本の柱部材２１ａ，２１ｂを備えて構成されており、フック本体２４は、図１に示すように、折畳状態でこれら二本の柱部材２１ａ，２１ｂの間に収容された状態となる。二本の柱部材２１ａ，２１ｂの間には軸状（棒状）の係止部２６（図２参照）が架け渡されている。この係止部２６は、折畳状態のフック本体２４を当接させてその位置で係止するストッパーの機能を有している。
【００２７】
そして、第二フック部材２０は、枠体２の長手方向の外側から内側に向かって回動することで内枠部５の内側（領域Ａ内）に格納されるようになっている。図４は、第二フック部材２０を拡張状態にしたピンチハンガー１を示す平面図である。第二フック部材２０は、図１及び図４に示すように、上記の折畳状態と拡張状態のいずれの状態でも内枠部５の内側（内枠部５で囲まれた領域Ａ内）に格納が可能である。
【００２８】
上記構成のピンチハンガー１を用いて洗濯物を干す場合には、まず、折り畳まれた外枠部３（枠体２）の左枠３ａと右枠３ｂとを開いた状態にする。その後、第二フック部材２０を格納位置から上方に向けて９０度回動させ、枠体２の面に対して直立状態にする。その状態でさらに第二フック部材２０のフック本体２４を折畳位置から拡張位置に回動させる。この状態で、第二フック部材２０のフック本体２４を物干し竿５０に引っ掛ける。また、中央の第一フック部材１０を掴み、鈎部１０ａに設けられた開閉部材１０ｂを開き、鈎部１０ａを物干し竿５０に掛ける。これにより、図２に示すように、ピンチハンガー１の枠体２が第一フック部材１０と一対の第二フック部材２０の三つのフック部材によって三点支持状態で物干し竿５０に懸架される。この状態で、枠体２に取り付けられている複数個のピンチＰに洗濯物を挟んで吊す。なお、第二フック部材２０と第一フック部材１０を物干し竿５０に引っ掛ける順序は上と逆の順序でもよい。
【００２９】
一方、ピンチハンガー１を使用後などに片付ける場合には、第二フック部材２０のフック本体２４を折畳状態とし、その後、第二フック部材２０を格納位置へ格納する。その状態で外枠部３（枠体２）の左枠３ａと右枠３ｂを連結部８を支点に折り曲げて重ね合わせる。これにより、ピンチハンガー１が畳まれた状態となる。
【００３０】
なお、本実施形態のピンチハンガー１は、上記のように三つのフック部材で枠体２を懸架する以外にも、一対の第二フック部材２０を格納位置に格納した状態で、第一フック部材１０のみで枠体２を懸架することも可能である。
【００３１】
以上説明したように、本実施形態のピンチハンガー１によれば、第一フック部材１０に加えて一対の第二フック部材２０を備えたことで、枠体２を例えば物干し竿５０などの懸架対象に懸架する際、枠体２の長手方向の中央部と両側の三点で懸架することができる。これにより、屋外の風が強い環境下などでも、洗濯物を吊り下げたピンチハンガー１の枠体２が大きく揺れたり傾いたりすることを効果的に防止できる。
【００３２】
そのうえで、本実施形態のピンチハンガー１は、枠体２をその長手方向の両側で懸架する一対の第二フック部材２０を折畳状態と拡張状態とで切り替えることが可能な構成とし、かつ、それらを折畳状態と拡張状態のいずれの状態でも掛渡部４の内枠部５で囲まれた領域Ａ内に格納可能としたことで、第二フック部材２０を使用せず第一フック部材１０のみで枠体２を懸架する場合や、ピンチハンガー１を片付ける場合には、第二フック部材２０をコンパクトに格納する作業を簡単かつ迅速に行えるようになる。したがって、取扱性に優れたピンチハンガー１となる。
【００３３】
また、このピンチハンガー１では、第二フック部材２０の基部２１は、隙間を有して平行に配置された二本の柱部材２１ａ，２１ｂを備えて構成されており、フック本体２４は、折畳状態で二本の柱部材２１ａ，２１ｂの間に収容された状態となる。
【００３４】
この構成によれば、折畳状態の第二フック部材２０をよりコンパクトにすることができる。したがって、第二フック部材２０を格納した状態でピンチハンガー１を使用する場合や、ピンチハンガー１を片付けておく場合に、第二フック部材２０が邪魔にならずに済むので、より取扱性に優れたピンチハンガー１となる。
【００３５】
また、このピンチハンガー１では、掛渡部４は、外枠部３の内側で略長方形状に形成された内枠部５を有しており、第二フック部材２０は、この内枠部５で囲まれた領域Ａ内に格納されるようになっている。
【００３６】
この構成によれば、第二フック部材２０は、掛渡部４によって形成された略長方形状の内枠部５の内側に格納されることで、第二フック部材２０をより効率的に枠体２の平面内に格納することが可能となる。また、略長方形状に形成された内枠部５の外側（内枠部５の内側を除く位置）にピンチＰを取り付けておけば、第二フック部材２０がピンチＰや該ピンチＰに吊り下げた洗濯物と干渉するおそれがないので、さらに取扱性に優れたピンチハンガー１となる。
【００３７】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、第二フック部材２０を枠体２の長手方向の両端近傍の内枠部５（掛渡部４）に取り付けた場合を示したが、これ以外にも、本発明の第二フック部材は、枠体の長手方向の両端の外枠部などに取り付けることも可能である。その場合、格納位置の第二フック部材が干渉しない位置に枠体の掛渡部を配置するように構成する。
【符号の説明】
【００３８】
１ ピンチハンガー（物干し具）
２ 枠体
３ 外枠部
３ａ 左枠
３ｂ 右枠
４ 掛渡部
４ａ 軸部
４ｂ 係止部
５ 外枠部
７ ワイヤ
８ 連結部
９ チェーン
１０ 第一フック部材
１０ａ 鈎部
１０ｂ 開閉部材
１０ｃ フック台
１０ｄ 掛け部
１０ｅ 取付部材
２０ 第二フック部材
２１ 基部
２１ａ，２１ｂ 柱部材
２１ｃ 先端部
２２ 連結具
２３ 軸部
２４ フック本体
２６ 係止部
５０ 物干し竿（懸架対象）
Ｐ ピンチ（洗濯ばさみ）
【図１】
2017185045.tif 000003
【図２】
2017185045.tif 000004
【図３】
2017185045.tif 000005
【図４】
2017185045.tif 000006